(57)【要約】【課題】  集塵ホースと紙パックフィルタとの間のシール性を確実にして集塵室内への塵埃を含む空気の侵入及びこれによる弊害発生の防止を図った電気掃除機を提供する。【解決手段】  電気掃除機は、集塵室２０とこの集塵室２０に負圧を生じさせる電動送風機２１とを本体ケース内に内蔵していると共に、前記集塵室２０に集塵ホースの接続筒体１３ａを接続させるための差込口１２を前記本体ケースに備え、さらに前記差込口１２に接続された集塵ホースと前記集塵室２０内の紙パックフィルタ２３の口枠２６との間をシールするための差込口パッキン３５を備え、前記差込口１２と同心円の環状突部からなる複数の弾性を有するシール部４４，４５を前記差込口パッキン３５の前記口枠２６に臨む面３５ａに備えている。【選択図】                  図４
2006034763.tif 000002
【特許請求の範囲】
【請求項１】
集塵室とこの集塵室に負圧を生じさせる電動送風機とを本体ケース内に内蔵していると共に、前記集塵室に集塵ホースを接続させるための差込口を前記本体ケースに備え、さらに前記差込口と前記集塵室内に設けられた紙パックフィルタの口枠の口枠開口周囲との間をシールするための差込口パッキンを備えた電気掃除機であって、
前記差込口と同心円の環状突部からなる複数の弾性を有するシール部を前記差込口パッキンの前記口枠に臨む面に備えることを特徴とする電気掃除機。
【請求項２】
前記シール部が内側のシール部と外側のシール部とを備え、前記内側のシール部の高さが外側のシール部の高さよりも高くなっていることを特徴とする請求項１に記載の電気掃除機。
【請求項３】
前記内側のシール部が前記外側のシール部よりも柔らかくなっていることを特徴とする請求項２に記載の電気掃除機。
【請求項４】
前記シール部が内側のシール部と外側のシール部とを備え、前記内側のシール部の高さと外側のシール部の高さとは等しく、且つ、外側のシール部が柔らかいことを特徴とする請求項１に記載の電気掃除機。
【発明の詳細な説明】
【技術分野】
【０００１】
本発明は、塵埃を捕集する紙パックフィルタと集塵ホースとの間のシール性を向上させた電気掃除機に関するものである。
【背景技術】
【０００２】
従来の電気掃除機には、集塵室及びこの集塵室に吸込負圧を作用させる電動送風機を掃除機本体に設け、この集塵室に紙パックフィルタを集塵袋として配設したものが知られている。
【０００３】
この掃除機本体は集塵室に集塵ホースを接続するホース差込口（ホース接続口）を有し、このホース差込口に集塵ホースの一端部が着脱可能に接続されるようになっている。しかも、集塵室内にはホース差込口に対応して口枠ホルダが取り付けられている。この口枠ホルダは対向する一対の枠保持部及びこの一対の枠保持部の下端を連設する連設部を有し、一対の枠保持部には例えば互いに対向し且つ上端に開放する係合溝が設けられている。また、この口枠ホルダの一対の枠保持部間にはホース差込口が位置し、この口枠ホルダは連設部を中心にホース差込口にバネで回動付勢されている。
【０００４】
一方、紙パックフィルタは、中央部に円形の口枠開口が設けられた方形板状の口枠と、この口枠に開放端が一体に設けられた集塵用紙袋を有する構成となっているのが普通である。この紙パックフィルタの方形板状の口枠の側縁部は、口枠ホルダに設けた一対の枠保持部の係合溝に着脱可能に挿入されるようになっている。
【０００５】
ところで、掃除機本体のホース差込口と口枠の口枠開口は通常同心になるように口枠が口枠ホルダに保持されている。また、このホース差込口と口枠開口の周縁部との間は、ホース差込口の周囲に位置させて掃除機本体に取り付けた吸込口パッキン（シール部材）でシールされるようになっているものが知られている。
【０００６】
この吸込口パッキン（差込口パッキン）としては、集塵ホースが掃除機本体に装着されていないときに集塵室を閉塞するためのフラップが設けられ、その外周部には、断面が略半円形状のリップ部（フランジ部）が環状に設けられているものが知られている（例えば、特許文献１参照）。そして、このリップ部は、集塵室内に装着された紙パックフィルタの口枠に当接して集塵ホースと紙パックフィルタとの間をシールしている。
【特許文献１】特開平５−２３２７１号公報（図４）
【発明の開示】
【発明が解決しようとする課題】
【０００７】
しかしながら、集塵室内に収納されている紙パックフィルタの口枠に対する集塵ホース側のシールを、差込口パッキンのリップ状のシール部によって行うようにしたシール構造においては、シール部の形状の断面が略半円形状の薄いリップ状であって吸込口パッキンに一体成型したものであるから、シール部が成型時に捩れるような歪みを生じる問題がある。
【０００８】
吸込口パッキンのシール部に歪みを生じると、集塵ホース側と紙パックフィルタの口枠との間のシールが不完全になって、紙パックフィルタに吸い込まれるべき塵埃を含む空気の一部が集塵室に漏れ、さらに電動送風機に侵入して電動送風機の故障の原因となる問題を生じる。
【０００９】
さらに、紙パックフィルタの口枠の平面部の寸法バラツキによる僅かな凹凸と、上記のシール部の歪みとの不具合が重なって、紙パックフィルタの口枠とシール部とのシール性が悪くなる問題があった。
【００１０】
シール部によるシール性が悪いと、集塵ホースにより吸引された塵埃を含む空気は全て紙パックフィルタには入らずに一部が集塵室内に漏れて電動送風機に侵入して、電動送風機の故障の原因となる問題があった。
【００１１】
本発明の目的は、集塵ホースと紙パックフィルタとの間のシール性を確実にして集塵室内への塵埃を含む空気の侵入及びこれによる弊害発生の防止を図った電気掃除機を提供することにある。
【課題を解決するための手段】
【００１２】
本発明は、上述事情に鑑みなされたものであって、請求項１に記載の発明は、集塵室とこの集塵室に負圧を生じさせる電動送風機とを本体ケース内に内蔵していると共に、前記集塵室に集塵ホースを接続させるための差込口を前記本体ケースに備え、さらに前記差込口と前記集塵室内に設けられた紙パックフィルタの口枠の口枠開口周囲との間をシールするための差込口パッキンを備えた電気掃除機であって、前記差込口と同心円の環状突部からなる複数の弾性を有するシール部を前記差込口パッキンの前記口枠に臨む面に備えることを特徴としている。
【発明の効果】
【００１３】
請求項１に係わる発明によれば、集塵ホースと集塵室内の紙パックフィルタの口枠とをシールする差込口パッキンの前記口枠に臨む面に環状突部からなる弾性を有するシール部を設けたので、シール部を口枠に当接させたときにシール部が弾性変形して、集塵ホースと紙パックフィルタとの間のシールを確実に行うことができる。また、シール部が集塵ホースの差込口と同心円に複数設けてあるので、集塵ホースと紙パックフィルタとの間のシールをより確実に行うことができる。これにより、集塵室への塵埃の漏れ、及び集塵室に負圧を生じさせる電動送風機への塵埃の侵入及びこれによる故障の発生を確実に防止することができる。
【発明を実施するための最良の形態】
【００１４】
以下、本発明の実施の形態を図面に基づいて説明する。
【実施例１】
【００１５】
図１は電気掃除機１０を示している。この電気掃除機１０の本体ケース１１に設けられた差込口１２には集塵ホース１３の一端に設けられた接続筒体１３ａが接続されている。集塵ホース１３の他端１３ｂに設けられた手元操作管１４には延長管１５が着脱自在に接続されており、この延長管１５の先端部には吸込口体１６が着脱自在に接続されている。上記手元操作管１４には、電源スイッチＳＷが設けられている。
【００１６】
上記本体ケース１１は、下ケース１７とこの下ケース１７の後部側を覆う上ケース１８と、下ケース１７の前部側を覆う開閉自在の蓋ケース（集塵蓋）１９とを有している。また、本体ケース１１内には、集塵室２０と、この集塵室２０を負圧にする電動送風機２１とが設けられている。
【００１７】
図２は、図１に示す電気掃除機１０の蓋ケース１９を外した状態の本体ケース１１の斜視図を示している。本体ケース１１の内部は隔壁２２により前後に区画されていて、隔壁２２前方空間には集塵室２０が形成されている。
【００１８】
上記集塵室２０には紙パックフィルタ（集塵袋）２３が配設されている。この紙パックフィルタ２３は、袋状の紙パックフィルタ本体２４と、この紙パックフィルタ本体２４の開口に連通している口枠開口２５を有する方形板状の口枠２６とを備えている。
【００１９】
図２において、集塵室２０の前部側にはＵ字状の口枠ホルダ２８が設けられている。この口枠ホルダ２８は、対向する一対の枠保持部２８ａ，２８ｂ及びこの枠保持部２８ａ，２８ｂの下端（前端）を連設する連設部２８ｃを有している。
【００２０】
上記一対の枠保持部２８ａ，２８ｂには、例えば互いに対向し且つ上端に開放する係合溝３０が設けられている。この係合溝３０は、枠保持部２８ａ，２８ｂの下面側に設けられたガイド３２（図４参照）と枠保持部２８ａ，２８ｂの上部に設けられた複数の押さえ爪３３により構成されている。
【００２１】
また、この口枠ホルダ２８の一対の枠保持部２８ａ，２８ｂ間にはホース差込口３７が位置している。上記口枠ホルダ２８は、連設部２８ｃが取り付けられている支軸２９を中心としてホース差込口３７側に図示しないバネにより回動付勢されている。
【００２２】
上記紙パックフィルタ２３の口枠２６の両側縁部は、口枠ホルダ２８の挿入部３１から係合溝３０に着脱可能に挿入されるようになっている。
【００２３】
図３は蓋ケース１９の差込口１２を裏面側から見た斜視図を示している。蓋ケース１９裏面には弾性体からなる差込口パッキン３５が配設されている。この差込口パッキン３５の取り付け部の詳細を図４に示す。
【００２４】
図４において、蓋ケース１９の差込口１２には円筒状の支持部３６が一体成型されており、この支持部３６にはホース差込口３７の上端に形成されたフランジ３８が取り付けられている。
【００２５】
図４の符号１３ａは図１に示す集塵ホース１３の接続筒体１３ａを示していて、その中径部３９は係合部４０において蓋ケース１９の支持部３６に着脱自在に装着されている。また、接続筒体１３ａの小径部４２は前記ホース差込口３７の内面に嵌合している。
【００２６】
また、ホース差込口３７の外周面には、差込口パッキン３５の内周面が嵌合されている。この差込口パッキン３５の内端面すなわち紙パックフィルタ２３の口枠２６に臨む面３５ａには、環状突部からなる内側のシール部４４と外側のシール部４５とがそれぞれ一体成型されて設けられている。
【００２７】
なお、前記複数のシール部４４，４５は、蓋ケース１９の差込口１２と同心円にそれぞれ形成されている。
【００２８】
［作用］
図２に示すように紙パックフィルタ２３の口枠２６を口枠ホルダ２８に装着した状態で、図１のように本体ケース１１の蓋ケース１９を下ケース１７に対して閉じると、図４及び図５に示すように差込口パッキン３５の複数のシール部４４，４５が紙パックフィルタ２３の口枠２６に線接触で当接して、シール部４４，４５は弾性変形する。
【００２９】
このシール部４４，４５の弾性変形により、図１の集塵ホース１３側の接続筒体１３ａと紙パックフィルタ２３とは、集塵室２０（図２参照）に対して確実にシールされる状態となる。
【００３０】
また、シール部４４，４５は、図５に示すように口枠２６臨む差込口パッキン３５の面３５ａにそれぞれ設けられているので、上述の弾性変形をした場合でも歪みを生じることはなく口枠２６の外面に一様に当接して紙パックフィルタ２３と接続筒体１３ａ（図４参照）との接続部を確実にシールする。
【００３１】
このように、差込口パッキン３５の内端面である口枠２６に臨む面３５ａに環状突部を複数設けたことにより集塵室２０への塵埃の漏れ、及び集塵室２０に負圧を生じさせる電動送風機２１への塵埃の侵入及びこれによる故障の発生を確実に防止することができる。
【実施例２】
【００３２】
図６において、紙パックフィルタ２３の紙パックフィルタ本体２４内に塵埃が貯留していくと、紙パックフィルタ本体２４に作用する吸引力は次第に高くなっていき、口枠２６はその中央部が湾曲する状態となる。図６では説明を解りやすくするために口枠２６の湾曲状態を誇張して示している。
【００３３】
口枠２６が図６に示すように中央部が湾曲していると、内側のシール部４４の弾性変形量は外側のシール部４５の弾性変形量に比べて小さくなって内側のシール部４４のシール性は外側のシール部４５に比べて小さくなる。
【００３４】
図７は上記の内側のシール部４４のシール性の低下を補正したシール部を示している。すなわち、図７においては、差込口パッキン３５の内側のシール部４４の高さは、外側のシール部４５の高さよりも高く形成されている。
【００３５】
このように内側のシール部４４の高さを予め外側のシール部４５よりも高くしておくことにより、口枠２６の中央部が図７に示すように内側に変形しも内側のシール部４４は口枠２６に適正に当接して弾性変形し、外側のシール部４５と同様のシール性を確保することができる。
【００３６】
そして、上述したシール部４４，４５により紙パックフィルタ２３及び図４の接続筒体１３ａをシールすることによって、集塵室２０への塵埃の漏れ、及び集塵室２０に負圧を生じさせる電動送風機２１への塵埃の侵入及びこれによる故障の発生を確実に防止することができる。
【実施例３】
【００３７】
本実施例では、実施例２と同様に内側のシール部４４の高さは外側のシール部４５の高さよりも高くなっている（図７参照）。そして、内側のシール部４４は外側のシール部４５よりも柔らかくなるように形成されている。
【００３８】
すなわち、内側のシール部４４は直径方向における厚さが外側のシール部４５に比べて小さくなるように形成して、外側のシール部４５よりも弾性変形し易くなるように形成されている。
【００３９】
このように、内側のシール部４４を変形し易い形状にして弾性力を変えることにより、弾性力の異なる材料を使用することなく外側のシール部４５と同一の材料を使用して弾性力を変えると共に、シール部４４，４５を差込口パッキン３５と一体成型することができる。
【００４０】
内側のシール部４４をこのように形成することによって、紙パックフィルタ２３の紙パックフィルタ本体２４に塵埃があまり貯留していないとき、すなわち口枠２６が図５のように変形していないときでも、口枠２６に対する内側のシール部４４及び外側のシール部４５の当接力は略等しくなって、両シール部４４，４５が同等のシール性を発揮することができる。
【００４１】
そして、紙パックフィルタ本体２４に塵埃が溜まって口枠２６が図６のように変形したときには、実施例２の場合と同様に内側のシール部４４は高く形成されていることから口枠２６に確実に当接して外側のシール部４５と同様のシール性を得ることができる。
【実施例４】
【００４２】
本実施例では、図５に示すように内側のシール部４４の高さは外側のシール部４５の高さと同一に形成されていると共に、外側のシール部４５が内側のシール部４４よりも柔らかくなるように構成されている。
【００４３】
例えば、外側のシール部４５の形状を、図７の内側のシール部４４のように直径方向の厚さを薄くなるように形成して内側のシール部４４よりも柔らかくなるようにしている。
【００４４】
また、内側のシール部４４は、口枠２６が図６に示すように中央部が内側に湾曲するように変形したときにも口枠２６に当接可能になっている。例えば、口枠２６に対するシール部４４，４５の最初の当接力を実施例１の場合よりも大きくしておくことにより、内側のシール部４４は口枠２６にシール可能な状態で当接することができる。
【００４５】
このように、シール部４４，４５の高さを同じにして、外側のシール部４５を内側のシール部４４よりも柔らかくしても、口枠２６が図５のように平面状にあるときにはシール部４４，４５の弾性変形により紙パックフィルタ２３をシールすると共に、口枠２６が図６のように変形したときには内側のシール部４４の弾性力が外側のシール部４５よりも大きいので、内側のシール部４４と口枠２６間のシール性を外側のシール部４５と同様に確保することができる。
【００４６】
なお、前述した実施の形態では、図１に示す集塵ホース１３側の接続筒体１３ａは、本体ケース１１の蓋ケース１９に設けられている差込口１２に接続されている例について説明したが、これに限らず、集塵ホース１３の接続筒体１３ａは、例えば、本体ケース１１の下ケース１７に接続させることも可能である。
【００４７】
以上説明したこの発明の実施の形態の電気掃除機（１０）は、集塵室（２０）とこの集塵室（２０）に負圧を生じさせる電動送風機（２１）とを本体ケース（１１）内に内蔵していると共に、前記集塵室（２０）に集塵ホース（１３）を接続させるための差込口（１２）を前記本体ケース（１１）に備え、さらに前記差込口（１２）と前記集塵室（２０）内に設けられた紙パックフィルタ（２３）の口枠（２６）の口枠開口（２５）周囲との間をシールするための差込口パッキン（３５）を備えている。さらに、電気掃除機（１０）は、前記差込口（１２）と同心円の環状突部からなる複数の弾性を有するシール部（４４，４５）を前記差込口パッキン（３５）の前記口枠（２６）に臨む面（３５ａ）に備えている。
【００４８】
この構成によれば、集塵ホース（１３）と集塵室（２０）内の紙パックフィルタ（２３）の口枠（２６）とをシールする差込口パッキン（３５）の前記口枠（２６）に臨む面（３５ａ）に環状突部からなる弾性を有するシール部（４４，４５）を設けたので、シール部（４４，４５）を口枠（２６）に当接させたときにシール部（４４，４５）が弾性変形して、集塵ホース（１３）と紙パックフィルタ（２３）との間のシールを確実に行うことができる。また、シール部（４４，４５）が集塵ホース（１３）の差込口（１２）と同心円に複数設けてあるので、集塵ホース（１３）と紙パックフィルタ（２３）との間のシールをより確実に行うことができる。これにより、集塵室（２０）への塵埃の漏れ、及び集塵室（２０）に負圧を生じさせる電動送風機（２１）への塵埃の侵入及びこれによる故障の発生を確実に防止することができる。
【００４９】
また、この発明の実施の形態の電気掃除機は、前記シール部（４４，４５）が内側のシール部（４４）と外側のシール部（４５）とを備え、前記内側のシール部（４４）の高さが外側のシール部（４５）の高さよりも高くなっている。
【００５０】
この構成によれば、内側のシール部（４４）の高さを予め外側のシール部（４５）よりも高くしたので、口枠（２６）の中央部が内側に変形しても内側のシール部（４４）は口枠（２６）に適正に当接して弾性変形し、外側のシール部（４５）と同様のシール性を確保することができる。
【００５１】
また、この発明の実施の形態の電気掃除機（１０）は、前記内側のシール部（４４）が前記外側のシール部（４５）よりも柔らかくなっている。
【００５２】
この構成によれば、内側のシール部（４４）の高さを外側のシール部（４５）の高さよりも高くすると共に、内側のシール部（４４）を外側のシール部（４５）よりも柔らかくしたので、紙パックフィルタ（２３）の口枠（２６）が平坦なとき及び中央部が内側に湾曲しているときの何れの場合も内側のシール部（４４）が外側のシール部（４５）と同様に口枠（２６）に当接できて紙パックフィルタ（２３）及び集塵ホース（１３）のシールを確実に行うことができる。
【００５３】
また、この発明の実施の形態の電気掃除機（１０）は、前記シール部（４４，４５）が内側のシール部（４４）と外側のシール部（４５）とを備え、前記内側のシール部（４４）の高さと外側のシール部（４５）の高さとは等しく、且つ、外側のシール部（４５）が柔らかくなっている。
【００５４】
この構成によれば、内側のシール部（４４）の高さと外側のシール部（４５）の高さとは等しく、且つ、外側のシール部（４５）が柔らかくなっているので、紙パックフィルタ（２３）の口枠（２６）が平坦なとき及び中央部が内側に湾曲しているときの何れの場合も内側のシール（４４）が外側のシール部（４５）と同様に口枠（２６）に当接できて紙パックフィルタ（２３）及び集塵ホース（１３）のシールを確実に行うことができる。
【図面の簡単な説明】
【００５５】
【図１】本発明が適用されている電気掃除機の斜視図である。
【図２】本体ケース及びこれの集塵室に収納されている紙パックフィルタを示す斜視図である。
【図３】蓋ケースの裏側に設けられている差込口パッキン部を示す斜視図である。
【図４】集塵ホースの接続筒体及び紙パックフィルタとこれらをシールする差込口パッキン部を示す断面斜視図である。
【図５】本発明の実施例１に係わる紙パックフィルタ及び差込口パッキン部の詳細を示す縦断正面図である。
【図６】図５に示す紙パックフィルタ及び差込口パッキンの作用図である。
【図７】本発明の実施例２に係わる差込口パッキンの縦断正面図である。
【符号の説明】
【００５６】
１０            電気掃除機
１１            本体ケース
１２            差込口
１３            集塵ホース
１３ａ          接続筒体
２０            集塵室
２１            電動送風機
２３            紙パックフィルタ
２５            口枠開口
２６            口枠
３５            差込口パッキン
３５ａ          紙パックフィルタの口枠に臨む差込口パッキンの面
４４            内側のシール部
４５            外側のシール部
【図１】
2006034763.tif 000003
【図２】
2006034763.tif 000004
【図３】
2006034763.tif 000005
【図４】
2006034763.tif 000006
【図５】
2006034763.tif 000007
【図６】
2006034763.tif 000008
【図７】
2006034763.tif 000009